(57)【要約】【課題】ロック用スペーサアセンブリを提供する。【解決手段】ロック用スペーサアセンブリおよびターボ機械が提供される。一実施形態においては、ロック用スペーサアセンブリがスペーサを備え、このスペーサが、プラットフォームと、このプラットフォームからおおむね径方向内側に延びている複数の脚とを備えている。ロック用スペーサアセンブリは、前記複数の脚の各々に接触して、お互いに向かっておおむね軸方向に弾性変形させるように構成されたクランプをさらに備える。ロック用スペーサアセンブリは、前記複数の脚の各々に接触して、逆のおおむね軸方向に力を加えるように構成された固定ラグをさらに備える【選択図】図１
2015078690.tif 000002
【特許請求の範囲】
【請求項１】
隣り合うロータ羽根（３０）のプラットフォーム（５０）の間において周方向の取り付けスロット（５４）に挿入されるロック用スペーサアセンブリ（１００）であって、
プラットフォーム（１１２）と、該プラットフォーム（１１２）からおおむね径方向内側に延びている複数の脚（１１４）とを備えるスペーサ（１１０）と、
前記複数の脚（１１４）の各々に接触し、該脚（１１４）をお互いに向かっておおむね軸方向に弾性変形させるように構成されたクランプ（１２０）と、
前記複数の脚（１１４）の各々に接触し、該脚（１１４）に逆のおおむね軸方向に力を加えるように構成された固定ラグ（１３０）と
を備えるロック用スペーサアセンブリ（１００）。
【請求項２】
前記複数の脚（１１４）の各々が、くさび面（１１８）を備え、前記固定ラグ（１３０）が、複数の相手方くさび面（１３４）を有するくさび（１３２）を備えており、前記くさび面（１１８）と相手方くさび面（１３４）との間の接触によって、前記逆のおおむね軸方向の前記複数の脚（１１４）の各々の弾性変形が生じる請求項１に記載のロック用スペーサアセンブリ（１００）。
【請求項３】
前記相手方くさび面（１３４）が、おおむね径方向外側への方向において先細りである請求項２に記載のロック用スペーサアセンブリ（１００）。
【請求項４】
前記固定ラグ（１３０）が、ロッド（１３６）を備えている請求項１に記載のロック用スペーサアセンブリ（１００）。
【請求項５】
前記ロッド（１３６）を、前記プラットフォーム（１１２）に定められた貫通穴を通って延ばすことができる請求項４に記載のロック用スペーサアセンブリ（１００）。
【請求項６】
前記ロッド（１３６）に接続することができる固定具（１４０）をさらに備える請求項４に記載のロック用スペーサアセンブリ（１００）。
【請求項７】
前記複数の脚（１１４）の各々が、前記スロット（５４）の凹状の壁部分（６２）に接触するように構成された接触面（１１６）を備える請求項１に記載のロック用スペーサアセンブリ（１００）。
【請求項８】
前記クランプ（１２０）を、前記複数の脚（１１４）から取り除くことができる請求項１に記載のロック用スペーサアセンブリ（１００）。
【請求項９】
隣り合うロータ羽根（３０）のプラットフォーム（５０）の間において周方向の取り付けスロット（５４）に挿入されるロック用スペーサアセンブリ（１００）であって、
プラットフォーム（１１２）と、該プラットフォーム（１１２）からおおむね径方向内側に延びている複数の脚（１１４）とを備えるスペーサ（１１０）と、
前記複数の脚（１１４）の各々をお互いに向かっておおむね軸方向に弾性変形させるための手段（１２０）と、
前記複数の脚（１１４）の各々に接触し、該脚（１１４）に逆のおおむね軸方向に力を加えるように構成された固定ラグ（１３０）と
を備えるロック用スペーサアセンブリ（１００）。
【請求項１０】
前記複数の脚（１１４）の各々が、くさび面（１１８）を備え、前記固定ラグ（１３０）が、複数の相手方くさび面（１３４）を有するくさび（１３２）を備えており、前記くさび面（１１８）と相手方くさび面（１３４）との間の接触によって、前記逆のおおむね軸方向の前記複数の脚（１１４）の各々の弾性変形が生じる請求項９に記載のロック用スペーサアセンブリ（１００）。
【請求項１１】
前記相手方くさび面（１３４）が、おおむね径方向外側への方向において先細りである請求項１０に記載のロック用スペーサアセンブリ（１００）。
【請求項１２】
前記固定ラグ（１３０）が、ロッド（１３６）を備えている請求項９に記載のロック用スペーサアセンブリ（１００）。
【請求項１３】
前記ロッド（１３６）を、前記プラットフォーム（１１２）に定められた貫通穴を通って延ばすことができる請求項１２に記載のロック用スペーサアセンブリ（１００）。
【請求項１４】
前記ロッド（１３６）に接続することができる固定具（１４０）をさらに備える請求項１２に記載のロック用スペーサアセンブリ（１００）。
【請求項１５】
前記複数の脚（１１４）の各々が、前記スロット（５４）の凹状の壁部分（６２）に接触するように構成された接触面（１１６）を備える請求項９に記載のロック用スペーサアセンブリ（１００）。
【請求項１６】
圧縮機部分と、
タービン部分と、
前記圧縮機部分と前記タービン部分との間の燃焼器部分と
を備えており、
前記圧縮機部分または前記タービン部分の一方が、
周方向に延びる連続的な取り付けスロット（５４）を定めている前側および後ろ側ポストを備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの少なくとも２つの間の空間に配置されるロック用スペーサアセンブリ（１００）と
を備え、
前記ロック用スペーサアセンブリ（１００）が、
プラットフォーム（１１２）と、該プラットフォーム（１１２）からおおむね径方向内側に延びている複数の脚（１１４）とを備えるスペーサ（１１０）と、
前記複数の脚（１１４）の各々に接触し、該脚（１１４）をお互いに向かっておおむね軸方向に弾性変形させるように構成されたクランプ（１２０）と、
前記複数の脚（１１４）の各々に接触し、該脚（１１４）に逆のおおむね軸方向に力を加えるように構成された固定ラグ（１３０）と
を備えているターボ機械。
【請求項１７】
前記複数の脚（１１４）の各々が、くさび面（１１８）を備え、前記固定ラグ（１３０）が、複数の相手方くさび面（１３４）を有するくさび（１３２）を備えており、前記くさび面（１１８）と相手方くさび面（１３４）との間の接触によって、前記逆のおおむね軸方向の前記複数の脚（１１４）の各々の弾性変形が生じる請求項１６に記載のターボ機械。
【請求項１８】
前記相手方くさび面（１３４）が、おおむね径方向外側への方向において先細りである請求項１７に記載のターボ機械。
【請求項１９】
前記固定ラグ（１３０）が、ロッド（１３６）を備えている請求項１６に記載のターボ機械。
【請求項２０】
前記クランプ（１２０）を、前記複数の脚（１１４）から取り除くことができる請求項１６に記載のターボ機械。
【発明の詳細な説明】
【技術分野】
【０００１】
本発明は、概して、ターボ機械に関する。より具体的には、本発明は、ターボ機械のロータ羽根をロータディスクに固定するためのロック用スペーサアセンブリに関する。
【背景技術】
【０００２】
ガスタービンまたは蒸気タービンなどの種々のターボ機械は、シャフトと、シャフトに結合した複数のロータディスクと、ロータディスクに取り付けられた種々のロータ羽根とを備える。従来のガスタービンは、その圧縮機およびタービン部分に、種々のロータ羽根をディスクに取り付けて有している回転可能なシャフトを備えている。各々のロータ羽根が、加圧された空気、燃焼ガス、または蒸気などの他の流体が流れる翼と、空気または流体の流れについて径方向内側の境界を定める翼の基部のプラットフォームとを備えている。
【０００３】
ロータ羽根は、典型的には取り外し可能であり、したがってロータディスクの外周に位置する相補的な取り付けスロットに係合するように構成されたＴ字形の根元部分などの適切な根元部分を備えている。根元は、ディスクの外周に形成された対応する軸方向または周方向のスロットに係合する軸方向進入または周方向進入のいずれかの根元であってよい。典型的な根元は、最小の断面積の首部と、根元から取り付けスロット内に位置する１対の側方の凹所に延びる根元突出部とを備える。
【０００４】
周方向の根元については、ただ１つの取り付けスロットが、ロータディスクの前面および後面の全周を巡って周状に延びる前側および後ろ側の連続的な周方向のポストまたは輪の間に形成される。周状の取り付けスロットの断面形状は、ロータディスクの前側および後ろ側のポストまたは輪によって定められ、タービンの稼働時にロータ羽根の根元突出部と協働して個々の羽根を径方向について保持する側方の凹所を備える。
【０００５】
例えば、ガスタービンの圧縮機部分において、ロータディスクの外周を巡ってロータ羽根の段を完成させるために、ロータまたは圧縮機の羽根（具体的には、根元部分）が、周状のスロットの周囲において周状のスロットに挿入され、ロータ羽根の根元突出部を側方の凹所に接触させるべく約９０度回転させられる。ロータ羽根は、スロットの周囲に当接して係合できる翼の基部のプラットフォームを備えている。他の実施形態においては、隣接するロータ翼のプラットフォームの間において、スペーサを周状のスロットに設置することができる。ひとたびすべての羽根（および、スペーサ）が設置されると、取り付けスロットにおける最終的な残りの空間が、典型的には、技術的に広く知られているように、特別に設計されたスペーサアセンブリで埋められる。
【０００６】
周状のスロットへの最後のスペーサアセンブリの挿入を容易にするために使用される一般的な技術は、ロータディスクに軸対称でない装てんスロットを備えることである。種々の従来のスペーサアセンブリが、ロータディスクの装てんスロットの必要性をなくすべく設計されている。しかしながら、これらのアセンブリは、複雑な装置を備える。これらの従来のアセンブリは、一般に、組み立てが難しく、製造コストが高く、軸方向の荷重の不釣り合いにつながる可能性がある。したがって、ガスタービンの圧縮機および／またはタービンのロータ羽根など、ターボ機械の隣り合うロータ羽根のプラットフォームの間の最終的な空間に比較的容易に組み込むことができる改善されたロック用スペーサアセンブリについて、ニーズが存在する。
【先行技術文献】
【特許文献】
【０００７】
【特許文献１】米国特許第８，１７６，５９８号明細書
【発明の概要】
【０００８】
本発明の態様および利点が、以下の説明において後述され、あるいは明細書から自明であると考えられ、もしくは本発明を実施することによって習得されるであろう。
【０００９】
本発明の一実施形態によれば、隣り合うロータ羽根のプラットフォームの間において周方向の取り付けスロットに挿入されるロック用スペーサアセンブリが提供される。ロック用スペーサアセンブリは、スペーサを備え、このスペーサが、プラットフォームと、このプラットフォームからおおむね径方向内側に延びている複数の脚とを備えている。ロック用スペーサアセンブリは、前記複数の脚の各々に接触して、お互いに向かっておおむね軸方向に弾性変形させるように構成されたクランプをさらに備える。ロック用スペーサアセンブリは、前記複数の脚の各々に接触して、逆のおおむね軸方向に力を加えるように構成された固定ラグをさらに備える。
【００１０】
本発明の別の実施形態によれば、隣り合うロータ羽根のプラットフォームの間において周方向の取り付けスロットに挿入されるロック用スペーサアセンブリが提供される。ロック用スペーサアセンブリは、スペーサを備え、このスペーサが、プラットフォームと、このプラットフォームからおおむね径方向内側に延びている複数の脚とを備えている。ロック用スペーサアセンブリは、前記複数の脚の各々をお互いに向かっておおむね軸方向に弾性変形させるための手段をさらに備える。ロック用スペーサアセンブリは、前記複数の脚の各々に接触して、逆のおおむね軸方向に力を加えるように構成された固定ラグをさらに備える。
【００１１】
本発明の別の実施形態によれば、ターボ機械が提供される。ターボ機械は、圧縮機部分、タービン部分、および前記圧縮機部分と前記タービン部分との間の燃焼器部分を備える。前記圧縮機部分または前記タービン部分の一方が、周方向に延びる連続的な取り付けスロットを定めている前側および後ろ側ポストを備えているロータディスクと、複数のロータ羽根とを備えており、前記複数のロータ羽根の各々が、複数のプラットフォームのうちの１つから延びており、前記複数のプラットフォームの各々が、内側に延びている根元によって前記取り付けスロットに固定される。前記圧縮機部分または前記タービン部分の一方は、前記複数のプラットフォームのうちの少なくとも２つの間の空間に配置されるロック用スペーサアセンブリをさらに備える。ロック用スペーサアセンブリは、スペーサを備え、このスペーサが、プラットフォームと、このプラットフォームからおおむね径方向内側に延びている複数の脚とを備えている。ロック用スペーサアセンブリは、前記複数の脚の各々に接触して、お互いに向かっておおむね軸方向に弾性変形させるように構成されたクランプをさらに備える。ロック用スペーサアセンブリは、前記複数の脚の各々に接触して、逆のおおむね軸方向に力を加えるように構成された固定ラグをさらに備える。
【００１２】
当業者であれば、本明細書を検討することによって、このような実施形態および他の実施形態の特徴および態様を、よりよく理解できるであろう。
【００１３】
当業者にとって、本発明の最良の態様を含む本発明の充分かつ本発明を実施可能にする開示が、添付の図面の参照を含む本明細書の残りの部分において、さらに詳しく説明される。
【図面の簡単な説明】
【００１４】
【図１】本発明の技術的範囲に包含される典型的なガスタービンの機能図である。
【図２】周方向進入のロータ羽根における根元および取り付けスロットの構成の実施形態の一部分の断面図である。
【図３】ロック用スペーサアセンブリを挿入することができる最終的な空間または装てん空間を含む典型的なロータディスクの一部分の斜視図である。
【図４】本発明の主題のいくつかの態様による取り付けスロット内のロック用スペーサアセンブリの斜視図である。
【図５】本発明の主題のいくつかの態様によるロック用スペーサアセンブリの実施形態の順次の組み立ての図である。
【図６】本発明の主題のいくつかの態様によるロック用スペーサアセンブリの実施形態の順次の組み立ての図である。
【図７】本発明の主題のいくつかの態様によるロック用スペーサアセンブリの実施形態の順次の組み立ての図である。
【発明を実施するための形態】
【００１５】
次に、本発明の現在の実施形態（その１つ以上の例が、添付の図面に示されている）を、詳細に説明する。詳細な説明においては、数字および文字による記号表示を、図中の各特徴を指して使用する。図面および説明における類似または同様の記号表示は、本発明の類似または同様の部分を指して用いられている。本明細書において使用されるとき、用語「第１」、「第２」、および「第３」は、或る構成要素を別の構成要素から区別するために入れ換え可能に使用することができ、個々の構成要素の場所または重要性を意味するものではない。用語「上流」および「下流」は、流路における流体の流れに対する相対的な方向を指す。例えば、「上流」は、流体が流れてくる方向を指し、「下流」は、流体が流れていく方向を指す。用語「径方向」は、特定の構成要素の軸方向の中心線に実質的に垂直な相対的な方向を指し、用語「軸方向」は、特定の構成要素の軸方向の中心線に実質的に平行な相対的な方向を指す。
【００１６】
各々の例は、本発明の説明の目的で提示されており、本発明を限定するものではない。実際、本発明において、本発明の技術的範囲および技術的思想から離れることなく、変更および変種が可能であることは、当業者にとって明らかであろう。例えば、或る実施形態の一部として例示または説明される特徴を、別の実施形態について使用して、またさらなる実施形態をもたらすことが可能である。このように、本発明は、添付の特許請求の範囲およびそれらの均等物の技術的範囲に含まれるような変更および変種を包含するように意図される。
【００１７】
本発明の典型的な実施形態を、例示の目的で、おおむねガスタービンの文脈において説明するが、本発明の実施形態が、蒸気タービンなど、シャフトとシャフトに結合した回転する羽根とを有する任意のターボ機械に適用可能であり、特許請求の範囲に特に記載されない限りは、ガスタービンに限られないことを、当業者であれば容易に理解できるであろう。
【００１８】
次に図面を参照すると、同一の数字は、すべての図を通して同じ構成要素を指し示しており、図１が、本発明の種々の実施形態を取り入れることができるターボ機械（この場合には、典型的なガスタービン１０）の一実施形態の機能図を示している。この開示が、ガスタービンに限られず、むしろ蒸気タービンまたは任意の他の適切なターボ機械がこの開示の技術的範囲および技術的思想に包含されることを、理解すべきである。図示のとおり、ガスタービン１０は、大まかには、ガスタービン１０の上流端に配置された圧縮機１４を含む圧縮機部分１２と、圧縮機１４の下流の少なくとも１つの燃焼器１８を有している燃焼部分１６と、燃焼部分１６の下流のタービン２２を含んでいるタービン部分２０とを備えている。シャフト２４が、圧縮機１４および／またはタービン２２を少なくとも部分的に貫いて、ガスタービン１０の軸方向の中心線２６に沿って延びている。特定の構成においては、シャフト２４が、複数の個別のシャフトで構成されてもよい。
【００１９】
複数のロータホイールまたはディスク２８が、圧縮機１４および／またはタービン２２においてシャフト２４に沿って同軸に配置されている。各々のロータディスク２８は、ロータディスク２８の周囲に周方向に間隔を空けつつ配置され、ロータディスク２８に着脱可能に固定される複数の径方向に延びるロータ羽根３０を、受け入れるように構成されている。ロータ羽根３０を、圧縮機のロータ羽根３２など、圧縮機１４において使用されるように構成でき、あるいはタービンバケットまたはタービンのロータ羽根３４など、タービン２２において使用されるように構成することができる。各々の羽根３０は、長手方向の中心線の軸３６を有し、前縁４０および後縁４２を有する翼部分３８を備えている。
【００２０】
稼働時、空気などの作動流体４４が圧縮機１４に導かれ、圧縮機１４において、燃焼部分１６に向かって導かれるときに、一つには圧縮機のロータ羽根３２によって徐々に圧縮される。圧縮された作動流体４６が、圧縮機１４から流れ、燃焼部分１６に供給される。圧縮された作動流体４６は、各々の燃焼器１８に分配され、燃焼器１８において燃料と混合され、可燃性の混合物をもたらす。可燃性の混合物が燃焼し、比較的高い温度および高い速度の燃焼ガス４８を生み出す。燃焼ガス４８が、タービン２２を通って導かれ、タービン２２において熱および運動エネルギをタービンのロータ羽根３４に伝えることにより、シャフト２４を回転させる。特定の用途においては、シャフト２４が、電気を生成するために発電機（図示されていない）に接続される。
【００２１】
図２が、Ｔ字形の根元および取り付けスロットの構成を有する典型的なロータ羽根３０を備える典型的なロータディスク２８の一部分の拡大断面図である。図２に示されるように、各々のロータ羽根３０は、ガスタービン１０の稼働時に翼３８を過ぎる空気の流れ、燃焼ガスの流れ、または蒸気などの他の流体の流れについて径方向内側の境界の一部分をもたらすプラットフォーム５０をさらに備えることができる。さらに、各々のロータ羽根３０は、プラットフォーム５０から径方向内側に延びる一体の根元部分５２を備えている。根元部分５２は、技術的に広く知られているとおり、ロータディスク２８の前側および後ろ側のポストまたは輪要素５６によって定められる周方向に延びる取り付けスロット５４に滑り込み、この取り付けスロット５４に沿ってスライドする。
【００２２】
根元部分５２は、取り付けスロット５４内に定められ、輪要素５６の凹状の壁部分６２によって少なくとも部分的に定められる側方の凹所６０に収容される突出部５８を備えることができる。図２に提示した根元部分５２および取り付けスロット５４の構成が、あくまでも例示の目的のためのものにすぎず、根元およびスロットの構成が、本発明の主題の技術的範囲および技術的思想の範囲内で、幅広くさまざまであってよいことを、容易に理解できるであろう。
【００２３】
図３が、典型的なロータディスク２８の一部分の斜視図であり、特にロータディスク２８の前側および後ろ側の輪要素５６の間の取り付けスロット５４（図２）に設定された複数のロータ羽根３０を示している。図示のとおり、各々のロータ羽根３０が、プラットフォーム５０を備えている。図３に示されるとおり、従来のスペーサ６４が、技術的に広く知られているように、隣り合うロータ羽根３０のプラットフォーム５０の間に配置される。
【００２４】
隣り合うロータ羽根３０のプラットフォーム５０の間の周方向の幅Ｗを有している最終的な空間または装てん空間６６を、さらに詳しく後述されるように、図４〜１１に示されるようなロック用スペーサアセンブリ１００の種々の実施形態によって埋めることができる。最終的な空間または装てん空間６６は、通常は、ロータディスク２８へのロータ羽根３０の組み付けおよび／または取り外しの際に、ロータ羽根３０を取り付けスロット５４に挿入するために使用される。特定の実施形態において、ロック用スペーサアセンブリ１００を、圧縮機１４内に位置する圧縮機のロータ羽根３２および／またはタービン２２内に位置するタービンのロータ羽根３４など、隣り合うロータ羽根３０のプラットフォーム５０の間の最終的な空間６６を埋めるために使用できることを、理解すべきである。このように、ロック用スペーサアセンブリ１００が、おおむね隣り合うロータ羽根３０のプラットフォーム５０の間に設置されるものとして後述され、プラットフォーム５０およびロータ羽根３０は、圧縮機のロータ羽根３２またはタービンのロータ羽根３４の一部であってよく、どちらの用途も充分に包含される。
【００２５】
図４〜７を参照すると、本発明によるロック用スペーサアセンブリ１００の実施形態が示されている。アセンブリ１００は、スペーサ１１０を備えている。スペーサ１１０は、大まかには、隣り合うロータ羽根３０のプラットフォーム５０の間の最終的な空間６６にはまり込むように構成されている。例えば、スペーサ１１０は、プラットフォーム１１２を備えることができる。したがって、プラットフォーム１１２は、幅、長さ、厚さ、または任意の他の特徴によってプラットフォーム１１２をプラットフォーム５０間に挿入することが可能になるような任意の寸法設定を有することができる。例えば、プラットフォーム１１２は、通常は、隣り合うロータ羽根３０のプラットフォーム５０の間にぴったりとはまるような水平方向の幅Ｗ（図３）を有することができる。
【００２６】
スペーサ１１０は、プラットフォーム１１２からおおむね径方向内側（スペーサ１１０が組み込まれた状態にあるとき）に延びる複数の脚１１４をさらに備えることができる。典型的な実施形態においては、２つの脚１１４が、プラットフォーム１１２から延びることができ、互いにおおむね向かい合うことができる。脚１１４は、例えば、おおむね軸方向に間隔を空けて位置することができる。
【００２７】
スペーサ１１０を取り付けスロット５４に取り付けるために、脚１１４は、弾性変形可能であってよい。したがって、各々の脚１１４、および全体としてのスペーサ１１０を、いくつかの実施形態におけるアルミニウムまたは他の適切な金属など、適切な弾性変形可能材料から形成することができる。複数の脚１１４の各々をお互いに向かっておおむね軸方向に弾性的に変形させるための手段を、そのような脚の変形を容易にし、脚を内側に変形させて、スペーサ１１０を取り付けスロット５４にはめ込むことを可能にするために、利用することができる。
【００２８】
いくつかの典型的な実施形態においては、弾性変形させるための手段が、クランプ１２０であってよい。クランプ１２０は、一般に、脚１１４がお互いに向かっておおむね軸方向内側に弾性的に変形するように、脚１１４に軸方向内向きの力をもたらすことができる任意の適切なクランプ装置であってよい。図５が、内側に変形した状態の脚１１４を示している。例えば、いくつかの実施形態においては、クランプ１２０が、Ｃ字クランプ、締め具、ストラップ、ジップタイ、ロープ、またはねじ装置であってよい。クランプ１２０を、図示のように、各々の脚１１４に接触させて配置でき、次いで脚１１４がお互いに向かっておおむね軸方向内向きに弾性変形するまで、おおむね軸方向内向きの力を脚１１４にもたらすように作動させることができる。お互いに向かうそのような変形は、脚１１５がスロット５４の最も狭い部分に入り込んで通過でき、したがってスロット５４の最も狭い部分を定めている輪要素５６の突出部をかわすことができるように、充分であってよい。
【００２９】
典型的な実施形態においては、クランプ１２０が、複数の脚１１４から取り外し可能であってよい。例えば、スペーサ１１０を取り付けスロット５４に収めた後で、クランプ１２０を脚１１４との係合から外すことができ、さらに脚１１４から切り離すことができる。そのような係合の解除により、脚１１４は、図６に示されるように、当初の弾性変形していない軸方向における位置に戻ることができる。ひとたび脚１１４から切り離されると、クランプ１２０を、取り付けスロット５４から取り除くことができる。
【００３０】
他の実施形態においては、弾性変形させるための手段が、脚をおおむね軸方向内向きに弾性変形させるべく例えば人間によって脚１１４に加えられる物理的な力を含むことができる。さらに別の実施形態においては、スペーサ１１０を、例えば人間または機械による力によって、力の軸方向成分によって脚１１４がおおむね軸方向内側に変形するまで、径方向にディスク２８に押し下げることができる。
【００３１】
脚１１４は、典型的な実施形態においては、接触面１１６をさらに備えることができる。各々の接触面１１６を、取り付けスロット５４の凹状の壁部分６２に接触するように構成することができる。例えば図６および７に示されるように、スペーサ１１０が取り付けスロット５４に収められた後で、接触面１１６は、凹状の壁部分６２に接触することができる。そのような接触は、取り付けスロット５４においてスペーサ１１０を位置決めすることができる。凹状の壁部分６２および接触面１１６は、任意の適切なサイズ、向き、などを有することができる。接触面１１６は、いくつかの実施形態においては、凹状の壁部分６２と接触するときに凹状の壁部分６２と対をなすように、おおむね同一の向きを有することができる。
【００３２】
ロック用スペーサアセンブリ１００は、典型的な実施形態において、固定ラグ１３０をさらに備えることができる。図７に示されるように、固定ラグ１３０を、複数の脚１１４の各々に接触し、これらの脚１１４に対して逆のおおむね軸方向の力（弾性変形させるための手段による弾性変形のおおむね軸方向に対して反対のおおむね軸方向の力、など）を加えるように構成することができる。そのような逆のおおむね軸方向の力は、いくつかの実施形態において、脚１１４をおおむね逆の軸方向に弾性変形させることができる。これに加え、あるいはこれに代えて、おおむね逆の軸方向の力が、例えば脚１１４を介してディスク２８に伝達されてよい。そのような力をもたらすことによって、固定ラグ１３０は、ロック用スペーサアセンブリ１００を取り付けスロット５４において固定し、ロック用スペーサアセンブリ１００の軸方向および径方向の運動をおおむね減らし、あるいは防止することができる。
【００３３】
例えば、図示のとおり、各々の脚１１４が、くさび面１１８を備えることができる。くさび面１１８を、図示のように、径方向および軸方向に対しておおむね傾けることができる。２つの向かい合う脚１１４が利用される実施形態においては、くさび面１１８を、例えば互いに向かい合わせることができ、おおむね径方向外向きの方向につれて軸方向において互いに近付くように、傾けることができる。さらに、固定ラグ１３０が、くさび１３２を備えることができる。くさび１３２は、図示のとおりの２つの反対向きの相手方くさび面１３４など、種々の相手方くさび面１３４を有することができる。各々の相手方くさび面１３４が、くさび面１１８に接触できる。典型的な実施形態においては、各々の相手方くさび面１３４が、接触相手のくさび面１１８とおおむね同一の角度を有することができる。例えば、相手方くさび面１３４を、図示のように、径方向および軸方向に対しておおむね傾けることができる。さらに、図示のとおり、相手方くさび面１３４は、おおむね径方向外向きの方向において先細りであってよい。
【００３４】
固定ラグ１３０は、例えばロッド１３６をさらに備えることができる。ロッド１３６は、くさび１３２からおおむね径方向外側（組み立てられた状態にあるとき）に延びることができる。さらに、ロッド１３６を、スペーサ１１０のプラットフォーム１１２など、スペーサ１１０に定められる貫通穴１３８を通って延ばすことが可能であってよい。例えば、貫通穴１３８を、脚１１４の間など、プラットフォーム１１２のおおむね中央に定めることができ、プラットフォーム１１２を貫いておおむね径方向に延ばすことができる。組み立てられた状態において、ロッド１３６は、貫通穴１３８の少なくとも一部分を通って延びることができる。
【００３５】
さらに、いくつかの実施形態においては、ロック用スペーサアセンブリ１００が、固定具１４０を備えることができる。固定具１４０は、固定ラグ１３０とスペーサ１１０とを一体に固定して、ロック用スペーサアセンブリ１００を所定の位置に固定するために、ロッド１３６に接続可能であってよい。固定具１４０は、通常は、固定ラグ１３０とスペーサ１１０とを一体に固定するために使用することができる任意のロック機構を備えることができる。例えば、図示のとおり、固定具１４０は、ロッド１３６の雄ねじ端に螺合させることができる雌ねじ端を有することができる。典型的な実施形態においては、固定具１４０が、ロッド１３６に接続されたときに貫通穴１３８に位置することができる。
【００３６】
したがって、典型的な実施形態においては、固定ラグ１３０を、図５に示されるとおり、スペーサ１１０よりも前に取り付けスロット５４内に配置することができる。さらに図示のとおり、弾性変形させるための手段が、脚１１４をお互いに向かって弾性変形させることができる。次いで、図６に示されるように、スペーサ１１０を取り付けスロット５４内に収め、例えば脚１１４が弾性変形前の状態に戻るように、前記手段を解除することができる。その後に、固定ラグ１３０を脚１１４に接触させることができ、そのような接触によって、例えば脚１１４の接触面１１６を取り付けスロット５４の凹状の壁部分６２に押し付けることができるおおむね逆の軸方向の力を脚１１４にもたらすことができる。最後に、固定ラグ１３０をスペーサ１１０に固定することで、ロック用スペーサアセンブリ１００をスロット５４内の所定の位置にロックすることができる。
【００３７】
本発明の主題が、本明細書において説明および具現化されるとおりのロック用スペーサアセンブリ１００を備えるロータアセンブリも包含することを、理解すべきである。ロータアセンブリは、周方向に延びる連続的な取り付けスロット５４を定めている前側および後ろ側のポスト５６を有するロータディスク２８を備える。ロータアセンブリは、複数のロータ羽根３０をさらに備え、各々のロータ羽根３０は、プラットフォーム５０から延びている。プラットフォーム５０が、内側に延びる根元５２によって取り付けスロット５４内に固定される。本明細書において例示または説明した実施形態のいずれかによる少なくとも１つのロック用スペーサアセンブリ１００が、プラットフォーム５０のうちの２つの間の空間６６に配置される。すでに示したとおり、ロータアセンブリが、ガスタービンの圧縮機またはタービン部分に配置されてよく、プラットフォーム５０およびロータ羽根３０が、ロータ羽根またはタービンバケットのいずれかの段の全体の一部となることを、容易に理解できるであろう。
【００３８】
本明細書においては、本発明を最良の態様を含めて開示するとともに、あらゆる装置またはシステムの製作および使用ならびにあらゆる関連の方法の実行を含む本発明の実施を当業者にとって可能にするために、いくつかの実施例を使用している。本発明の特許可能な技術的範囲は、特許請求の範囲によって定められ、当業者にとって想到される他の実施例も含むことができる。そのような他の実施例は、それらが特許請求の範囲の文言から相違しない構造要素を備えており、あるいは特許請求の範囲の文言から実質的には相違しない同等の構造要素を含むならば、特許請求の範囲の技術的範囲に包含される。
【符号の説明】
【００３９】
１０  ガスタービン
１２  圧縮機部分
１４  圧縮機
１６  燃焼部分
１８  燃焼器
２０  タービン部分
２２  タービン
２４  シャフト
２６  軸方向の中心線
２８  ロータディスク、ディスク
３０  ロータ羽根、羽根
３２  圧縮機のロータ羽根
３４  タービンのロータ羽根
３６  長手方向の中心線の軸
３８  翼、翼部分
４０  前縁
４２  後縁
４４  作動流体
４６  圧縮された作動流体
４８  燃焼ガス
５０  プラットフォーム
５２  根元部分、根元
５４  取り付けスロット、スロット
５６  前側および後ろ側のポストまたは輪要素
５８  突出部
６０  側方の凹所
６２  凹状の壁部分
６４  スペーサ
６６  最終的な空間／装てん空間
１００  ロック用スペーサアセンブリ
１１０  スペーサ
１１２  プラットフォーム
１１４  脚
１１５  脚
１１６  接触面
１１８  くさび面
１２０  クランプ
１３０  固定ラグ
１３２  くさび
１３４  相手方くさび面
１３６  ロッド
１３８  貫通穴
１４０  固定具
【図１】
2015078690.tif 000003
【図２】
2015078690.tif 000004
【図３】
2015078690.tif 000005
【図４】
2015078690.tif 000006
【図５】
2015078690.tif 000007
【図６】
2015078690.tif 000008
【図７】
2015078690.tif 000009
【外国語明細書】
2015078690000001.pdf